【手続補正書】
【提出日】平成23年12月12日(2011.12.12)
【手続補正１】
【補正対象書類名】特許請求の範囲
【補正対象項目名】全文
【補正方法】変更
【補正の内容】
【特許請求の範囲】
【請求項１】
焦点軸に沿って配置される少なくとも１つのレンズを備えるレンズユニットであって、該レンズユニットは線形軸受表面を有する、レンズユニットと、
該レンズユニットに隣接して配置される電気活性ポリマーアクチュエータであって、該アクチュエータの作動は、該焦点軸に沿って該レンズユニットを移動させる、電気活性ポリマーアクチュエータと、
該レンズユニットの位置を維持するための該線形軸受表面に隣接する線形ガイドとを備える、
レンズ変位システム。
【請求項２】
前記焦点軸に沿って前記レンズユニットを偏向する偏向機構をさらに備える、請求項１に記載のレンズ変位システム。
【請求項３】
前記偏向機構は、前記レンズユニットと一体的に形成される、請求項２に記載のレンズ変位システム。
【請求項４】
前記偏向機構は、前記レンズユニットと前記筐体との間に延在する環状隔膜を備え、該隔膜は、低粘性エラストマー材料を有する、請求項２に記載のレンズ変位システム。
【請求項５】
前記レンズユニットの移動は、該レンズユニットの前記焦点距離を変更する、請求項１に記載のレンズ変位システム。
【請求項６】
前記少なくとも１つのレンズは、集束レンズである、請求項１に記載のレンズ変位システム。
【請求項７】
前記レンズユニットの移動は、該レンズユニットの倍率を変更する、請求項１に記載のレンズ変位システム。
【請求項８】
前記レンズユニットは、レンズ駆動機構によって担持され、それにより、前記アクチュエータの作動は、該レンズ駆動機構を移動させる、請求項１に記載のレンズ変位システム。
【請求項９】
前記レンズユニットは、アフォーカルレンズ組立体を備える、請求項８に記載のレンズ変位システム。
【請求項１０】
複数のレンズ段を備え、各段は、レンズを備え、前記レンズ駆動機構は、異なる割合で該複数の段を平行移動させる、請求項９に記載のレンズ変位システム。
【請求項１１】
無限遠焦点位置を越える前記レンズユニットの移動を防止するように、安全装置をさらに備える、請求項１に記載のレンズ変位システム。
【請求項１２】
前記焦点軸に沿って少なくとも１つのフィルタをさらに備える、請求項１に記載のレンズ変位システム。
【請求項１３】
前記レンズユニットの位置を検知するセンサをさらに備える、請求項１に記載のレンズ変位システム。
【請求項１４】
前記センサは、一対の離間した電極を備え、該第１の電極は、前記レンズユニットの外面上に配置され、該第２の電極は、該レンズユニットの該外面に対向する前記線形ガイドの表面上に配置され、線形ガイドに対する該レンズユニットの位置は、該電極を横切る静電容量を変化させる、請求項１３に記載のレンズ変位システム。
【請求項１５】
前記電気活性ポリマーアクチュエータの少なくとも一部分の温度を制御するために配置される加熱要素をさらに備える、請求項１に記載のレンズ変位システム。
【請求項１６】
前記レンズユニットは、複数のレンズを備え、遠位の最大のレンズは、集束レンズであり、それよりも近位の２つ以上のレンズは、アフォーカルレンズである、請求項１に記載のレンズ変位システム。
【請求項１７】
前記電気活性ポリマーアクチュエータは、フィルムを備え、該フィルムは、作動時に、一方向のみにそれるように構成され、前記フィルムは、裏当て材料に接合されるエラストマー誘電体層を備え、該裏当て材料は、該誘電体層よりも高い弾性係数を有する、請求項１に記載のレンズ変位システム。
【請求項１８】
焦点軸に沿って配置される少なくとも１つのレンズを備えるレンズユニットであって、該レンズユニットは無限遠方向に偏向される、レンズユニットと、
初期マクロ位置を越えるマクロ方向への該レンズユニットの移動を防止する安全装置と、
該レンズユニットに隣接して配置される電気活性ポリマーアクチュエータであって、該アクチュエータの作動は、該焦点軸に沿って無限遠位置から離れる方向で該レンズユニットを移動させる、電気活性ポリマーアクチュエータとを備える、
レンズ変位システム。
【請求項１９】
焦点軸に沿って対向方向に配置され移動可能である少なくとも１つのレンズを備えるレンズユニットと、
該レンズユニットに隣接して配置される二相電気活性ポリマーアクチュエータであって、該アクチュエータの作動は、該焦点軸に沿って該レンズユニットを移動させ、該アクチュエータは、相互に偏向する反対に対向する２つの錐台形状の隔膜を備える、二相電気活性ポリマーアクチュエータとを備える、
レンズ変位システム。
【請求項２０】
焦点軸に沿って配置される少なくとも１つのレンズを備えるレンズユニットと、
該レンズユニットに隣接して配置される電気活性ポリマーアクチュエータであって、該アクチュエータの作動は、該焦点軸に沿って該レンズユニットを移動させ、
該アクチュエータは、電気活性ポリマーフィルムを備え、該フィルムは、作動時に、一方向のみにそれる、電気活性ポリマーアクチュエータとを備える、
レンズ変位システム。
【請求項２１】
前記アクチュエータは、固定基部部材をさらに備え、前記フィルムは、前記レンズユニットと該基部部材との間に延在する、請求項２０に記載のレンズ変位システム。
【請求項２２】
光学系とともに使用するための機器であって、
少なくとも１つの旋回可能に装着される開口ブレードと、
該開口ブレードに隣接して配置される電気活性ポリマーアクチュエータであって、該アクチュエータの作動は、レンズ開口を通る光の通過を調整するために該開口ブレードを移動させる、電気活性ポリマーアクチュエータと
を備える、機器。
【請求項２３】
前記アクチュエータは、外側および内側枠部材間で延在する二相平面フィルムを備え、該内側枠部材は、前記レンズ開口に光を通過するための環状開口部を有し、さらに、１つの位相の作動は、前記ブレードを一方向に旋回可能に移動させ、他方の位相の作動は該ブレードを、反対方向に旋回可能に移動させる、請求項２２に記載の機器。
【請求項２４】
焦点軸に沿って配置される少なくとも１つのレンズを備えるレンズユニットと、
該レンズユニットの対向端部に配置される２つの電気活性ポリマーアクチュエータ機構であって、該アクチュエータの作動は、該アクチュエータに対して該レンズユニットを平行移動させる、電気活性ポリマーアクチュエータとを備える、
レンズ変位システム。
【請求項２５】
前記複数のアクチュエータ機構の間に延在する少なくとも１つのガイドレールをさらに備え、前記レンズユニットは、該少なくとも１つのガイドレールに摺動可能に結合され、該アクチュエータ機構の作動は、増分様式で、前記焦点軸に沿った該レンズユニットの平行移動を提供し、前記レンズユニットは、１つのプラットフォーム内に配置されたレンズを含む複数のレンズ段を有しており、少なくとも１つのレンズ段は、他のレンズ段とは独立して、前記焦点軸に沿って平行移動可能である、請求項２４に記載のレンズ変位システム。
【請求項２６】
各アクチュエータ機構は、前記焦点軸に沿って、かつ該焦点軸の側方に前記レンズユニットを移動させるための２つの別々に作動可能な部分を備える、請求項２４に記載のレンズ変位システム。
【請求項２７】
前記レンズユニットは、集束レンズ部分およびアフォーカルレンズ部分を備え、前記第１のアクチュエータは、該アフォーカルレンズ部分に対して前記焦点軸に沿って該集束レンズ部分を平行移動させ、前記第２のアクチュエータは、該焦点軸に沿って該アフォーカルレンズ部分を平行移動させ、該アクチュエータは、選択的にかつ独立して作動可能である、請求項２４に記載のレンズ変位システム。